【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
原稿読取部より前方に、画像表示面と、画像表示面とは異なる角度であり、凹部の底面で形成された着脱可能な認識装置を積載するための認証装置積載面とを備えた操作部を、有することを特徴とする画像処理装置。
【請求項２】
請求項１に記載の画像処理装置において、前記凹部の前後左右にあり、前記認証装置積載面と直交またはほぼ直交する面の少なくとも１つに、前記認証装置の側面の一が接するように積載することを特徴とする画像処理装置。
【請求項３】
請求項１に記載の画像処理装置において、前記凹部内に前記認証装置を接続するための配線を通すための開口を備えることを特徴とする画像処理装置。
【請求項４】
請求項１から３のいずれかに記載の画像処理装置において、前記凹部を覆い、前記画像表示面とほぼ同一面を形成する着脱可能な蓋を備えることを特徴とする画像処理装置。
【請求項５】
原稿読取部より前方に、画像表示面と、画像表示面とは異なる角度であり、台状部の頂面で形成された着脱可能な認識装置を積載するための認証装置積載面とを備えた操作部とを、有することを特徴とする画像処理装置。
【請求項６】
請求項５に記載の画像処理装置において、前記台状部の少なくとも一の側面が前記台状部の頂面である認証装置積載面と直交し、前記認証装置積載面と直交する面に、前記認証装置を接続するための配線を通すための開口を備えたことを特徴とする画像処理装置。
【請求項７】
請求項２に記載の画像処理装置において、前記台状部の少なくとも一の側面が前記台状部の頂面である認証装置積載面と直交し、前記認証装置積載面と直交する面に、記録媒体読取装置を備えたことを特徴とする画像処理装置。
【請求項８】
請求項２に記載の画像処理装置において、少なくとも前記台状部の前面と背面が前記認証装置積載面に直交し、該前面に記録媒体読取装置を備え、該背面に前記認証装置を接続するための配線を通すための開口を備えたことを特徴とする画像処理装置。
【請求項９】
請求項２に記載の画像処理装置において、前記台状部の頂面が前記画像表示面と交差する高さに位置することを特徴とする画像処理装置。
【請求項１０】
請求項１から８のいずれかに記載の画像処理装置において、前記画像表示面が前下がりに傾斜し、前記認証装置積載面が水平又はほぼ水平であることを特徴とする画像処理装置。
【請求項１１】
請求項１から８のいずれかに記載の画像処理装置において、前記画像表示面が前下がりに傾斜し、前記認証装置積載面が後ろ下がりに傾斜する面であることを特徴とする画像処理装置。
【請求項１２】
請求項１から１１のいずれかに記載の画像処理装置において、前記画像表示面と前記認証装置積載面との間に、前記画像表示面を備えた部位及び／又は前記認証装置積載面を備えた部位を着脱して分離、交換可能するための分割部を備えたことを特徴とする画像処理装置。
【請求項１３】
請求項１から１２のいずれかに記載の画像処理装置において、前記認証装置積載面に、認証装置の積載位置と粘着材の貼付位置を示す２種の目印を備えたことを特徴とする画像処理装置。
【請求項１４】
請求項１３に記載の画像処理装置において、前記目印が、２種類のシボ模様、凹凸形状、あるいはデカルの貼付または印刷のいずれかによって形成されたものであることを特徴とする画像処理装置。
【請求項１５】
請求項１から１４のいずれかに記載の画像処理装置において、前記画像表示面は角度可変機構により角度を変えられることを特徴とする画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】００１４
【補正方法】変更
【補正の内容】
【００１４】
本発明の画像処理装置は、原稿読取部より前方に、画像表示面と、画像表示面とは異なる角度であり、凹部の底面で形成された着脱可能な認識装置を積載するための認証装置積載面とを備えた操作部を、有することを特徴とする。
【手続補正４】
【補正対象書類名】明細書
【補正対象項目名】００１５
【補正方法】変更
【補正の内容】
【００１５】
また本発明の画像処理装置は、請求項１に記載の画像処理装置において、前記凹部の前後左右にあり、前記認証装置積載面と直交またはほぼ直交する面の少なくとも１つに、前記認証装置の側面の一が接するように積載することを特徴とする。
【手続補正５】
【補正対象書類名】明細書
【補正対象項目名】００１６
【補正方法】変更
【補正の内容】
【００１６】
また本発明の画像処理装置は、請求項１に記載の画像処理装置において、前記凹部内に前記認証装置を接続するための配線を通すための開口を備えることを特徴とする。
【手続補正６】
【補正対象書類名】明細書
【補正対象項目名】００１７
【補正方法】変更
【補正の内容】
【００１７】
また本発明の画像処理装置は、請求項１から３のいずれかに記載の画像処理装置において、前記凹部を覆い、前記画像表示面とほぼ同一面を形成する着脱可能な蓋を備えることを特徴とする。
【手続補正７】
【補正対象書類名】明細書
【補正対象項目名】００１８
【補正方法】変更
【補正の内容】
【００１８】
また本発明の画像処理装置は、原稿読取部より前方に、画像表示面と、画像表示面とは異なる角度であり、台状部の頂面で形成された着脱可能な認識装置を積載するための認証装置積載面とを備えた操作部とを、有することを特徴とする。
【手続補正８】
【補正対象書類名】明細書
【補正対象項目名】００１９
【補正方法】変更
【補正の内容】
【００１９】
また本発明の画像処理装置は、請求項５に記載の画像処理装置において、前記台状部の少なくとも一の側面が前記台状部の頂面である認証装置積載面と直交し、前記認証装置積載面と直交する面に、前記認証装置を接続するための配線を通すための開口を備えたことを特徴とする。
【手続補正９】
【補正対象書類名】明細書
【補正対象項目名】００２０
【補正方法】変更
【補正の内容】
【００２０】
また本発明の画像処理装置は、請求項２に記載の画像処理装置において、前記台状部の少なくとも一の側面が前記台状部の頂面である認証装置積載面と直交し、前記認証装置積載面と直交する面に、記録媒体読取装置を備えたことを特徴とする。
【手続補正１０】
【補正対象書類名】明細書
【補正対象項目名】００２１
【補正方法】変更
【補正の内容】
【００２１】
また本発明の画像処理装置は、請求項２に記載の画像処理装置において、少なくとも前記台状部の前面と背面が前記認証装置積載面に直交し、該前面に記録媒体読取装置を備え、該背面に前記認証装置を接続するための配線を通すための開口を備えたことを特徴とする。
【手続補正１１】
【補正対象書類名】明細書
【補正対象項目名】００２２
【補正方法】変更
【補正の内容】
【００２２】
また本発明の画像処理装置は、請求項２に記載の画像処理装置において、前記台状部の頂面が前記画像表示面と交差する高さに位置することを特徴とする。
【手続補正１２】
【補正対象書類名】明細書
【補正対象項目名】００２３
【補正方法】変更
【補正の内容】
【００２３】
また本発明の画像処理装置は、請求項１から８のいずれかに記載の画像処理装置において、前記画像表示面が前下がりに傾斜し、前記認証装置積載面が水平又はほぼ水平であることを特徴とする。
【手続補正１３】
【補正対象書類名】明細書
【補正対象項目名】００２４
【補正方法】変更
【補正の内容】
【００２４】
また本発明の画像処理装置は、請求項１から８のいずれかに記載の画像処理装置において、前記画像表示面が前下がりに傾斜し、前記認証装置積載面が後ろ下がりに傾斜する面であることを特徴とする。
【手続補正１４】
【補正対象書類名】明細書
【補正対象項目名】００２５
【補正方法】変更
【補正の内容】
【００２５】
また本発明の画像処理装置は、請求項１から１１のいずれかに記載の画像処理装置において、前記画像表示面と前記認証装置積載面との間に、前記画像表示面を備えた部位及び／又は前記認証装置積載面を備えた部位を着脱して分離、交換可能するための分割部を備えたことを特徴とする。
【手続補正１５】
【補正対象書類名】明細書
【補正対象項目名】００２６
【補正方法】変更
【補正の内容】
【００２６】
また本発明の画像処理装置は、請求項１から１２のいずれかに記載の画像処理装置において、前記認証装置積載面に、認証装置の積載位置と粘着材の貼付位置を示す２種の目印を備えたことを特徴とする。
【手続補正１６】
【補正対象書類名】明細書
【補正対象項目名】００２７
【補正方法】変更
【補正の内容】
【００２７】
また本発明の画像処理装置は、請求項１３に記載の画像処理装置において、前記目印が、２種類のシボ模様、凹凸形状、あるいはデカルの貼付または印刷のいずれかによって形成されたものであることを特徴とする。
【手続補正１７】
【補正対象書類名】明細書
【補正対象項目名】００２８
【補正方法】変更
【補正の内容】
【００２８】
また本発明の画像処理装置は、請求項１から１４のいずれかに記載の画像処理装置において、前記画像表示面は角度可変機構により角度を変えられることを特徴とする。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４２
【補正方法】変更
【補正の内容】
【００４２】
【図１】本発明の実施例１に係る操作パネルと認証装置取り付け部位からなる操作部を備えた画像処理装置を前方右側から見て示す斜視図
【図２】図１の装置の操作パネルと認証装置取り付け部位の拡大分解図
【図３】図２に示す操作部の認証装置の取り付け部位の構造の一例を示す拡大斜視図
【図４】図１の装置で、認証装置取り付け部位に認証装置を取り付けていない状態の斜視図（Ａ）と、認証装置を取り付けるために蓋を取り外した状態の斜視図（Ｂ）
【図５】図１の装置で、認証装置取り付け部位に認証装置を取り付けた状態の斜視図（Ａ）と、認証装置の配線例を示す斜視図（Ｂ）と、要部断面図（Ｃ）
【図６】図５の状態での操作パネルと認証装置を、図１の装置の背面側から見て示す斜視図で、配線前の状態（Ａ）と配線後の状態（Ｂ）を示す図
【図７】図５（Ａ）の状態における認証パネル取り付け部位の拡大斜視図
【図８】本発明の実施例２に係る操作部を備えた画像処理装置を前方右側から見て示す斜視図で、認証装置取り付け部位に認証装置を取り付けていない状態の斜視図（Ａ）と、認証装置を取り付けた状態の斜視図（Ｂ）と、この実施例における認証装置の配線例を示す斜視図（Ｃ）
【図９】図８（Ａ）、（Ｂ）の認証装置取り付け部位の拡大斜視図（Ａ、Ｂ）
【図１０】図８（Ａ）、（Ｂ）の認証装置取り付け部位を破断して示す斜視図（Ａ、Ｂ）
【図１１】本発明の実施例２に係る認証装置取り付け部位に認証装置を取り付ける手順を図１の装置の背面側から見て示す斜視図（Ａ〜Ｄ）
【図１２】本発明の実施例３に係る操作部を備えた画像処理装置を前方右側から見て示す斜視図（Ａ、Ｂ）
【図１３】図１２に示す実施例３において、角度可変チルト機構付き操作パネルを破断して示す斜視図
【図１４】同じく角度可変チルト機構付き操作パネルのヒンジを図１の装置の背面側から見て示すために、操作パネルの下カバー後部を破断して示す斜視図
【図１５】同操作パネルのヒンジを示すために、操作パネルだけを破断して示す側面図
【図１６】本発明に係る操作パネルと認証装置取り付け部位の断面構造を概念的に示す図（Ａ〜Ｇ）
【図１７】従来の画像処理装置における認証装置の配置例を示す斜視図（Ａ、Ｂ）
【手続補正３０】
【補正対象書類名】明細書
【補正対象項目名】００４５
【補正方法】変更
【補正の内容】
【００４５】
図２は、図１の装置の操作パネルと認証装置取り付け部位の拡大分解図であり、操作パネル７は、ＬＣＤ等を用い、前下がりに傾斜する画像表示面９、テンキー１０、認証キー（ログインキー）１１を備えている。図中１２は認証装置搭載部８との分割部である。また認証装置搭載部８は、右利きが多いことを考慮して操作パネル７より装置前面側から見て右方に、さらに詳細には少なくとも画像表示面９より右方に配置し、操作パネル７と同じく前下がりに傾斜する表面と蓋１３を有し、蓋１３は、図４（Ｂ）に示すような認証装置搭載用の凹部１４上に載置して構成してある。なお、図４は、図１の装置で、認証装置取り付け部位に認証装置を取り付けていない状態の斜視図（Ａ）と、認証装置を取り付けるために蓋１３を取り外して凹部１４を露出させた状態の斜視図（Ｂ）である。
【手続補正３１】
【補正対象書類名】明細書
【補正対象項目名】００４６
【補正方法】変更
【補正の内容】
【００４６】
図３は、上述した認証装置搭載用の凹部１４の構造の一例を示す拡大斜視図である。認証装置搭載用の凹部１４の表面は、図１６（Ａ）に示すように、ほぼ水平な認証装置積載面を構成するが、例えば形成時は表面を平滑面としておき、２種類の両面テープを平滑面に貼って２種類のシボ領域を設ける構造とすることができる。すなわち、図３に示す例では、２種類の門の字形状の両面テープを用意しておき、サイズの大きなテープを貼付して第１シボ領域（シボが粗い領域）１４ａを、サイズの小さなテープをサイズの大きなテープの内側に貼付して第２シボ領域（シボが細かい領域）１４ｂを形成し、その内側をシボなし領域１４ｃとしている。テープの形状を工夫していることにより、貼付の際に作業者が迷わないで作業できる。なお図中１５は、凹部１４の後部面に形成した、後述するＵＳＢケーブル挿通用の開口である。